(57)【要約】【課題】金属性固定具の貫通による樹脂管からの漏水の可能性の有無を容易かつ確実に確認し得るようにすることにある。【解決手段】端部に金属製口金２を具える樹脂管１と、その金属製口金２に接触しないように当該樹脂管１の周囲に巻き着けられた導電膜４とを具えてなる、漏水検出用樹脂管である。【選択図】図１
0003114366.tif 000002
【実用新案登録請求の範囲】
【請求項１】
端部に金属製口金を具える樹脂管と、
前記金属製口金に接触しないように前記樹脂管の周囲に巻き着けられた導電膜と、
を具えてなる、漏水検出用樹脂管。
【請求項２】
前記導電膜の上に巻き着けられた導電膜押え付け材を具えることを特徴とする、請求項１記載の漏水検出用樹脂管。
【請求項３】
前記導電膜と前記樹脂管との間に導電膜浮き上がり防止材を具えるかまたは空間が空いていることを特徴とする、請求項１記載の漏水検出用樹脂管。
【請求項４】
導電膜と、
その導電膜を覆う保護材とを具え、
周方向の一または複数箇所に長手方向の全長に亘って延在する切れ目を持つ筒状をなす、請求項１から３までの何れか記載の漏水検出用樹脂管用導電膜構体。
【考案の詳細な説明】
【技術分野】
【０００１】
この考案は、マンションの床下等に配置される水道用の樹脂管に関し、特には、床板等を固定するための釘や木ネジ等の金属性固定具がその樹脂管に貫通していて漏水の可能性がある場合を検出するための漏水検出用樹脂管に関するものである。またこの考案は、その漏水検出用樹脂管用の導電膜構体にも関するものである。
【背景技術】
【０００２】
従来は、マンションの床下等に配置される水道管は金属性であったため、床板等を固定するための釘や木ネジ等の金属性固定具がその水道管に貫通していて漏水の可能性があるということはなかった。
【０００３】
ところで近年、取り回しの容易さや重量の軽さ、値段の安さ等のため、マンションの床下等に水道用の樹脂管が配置されるようになってきており、かかる樹脂管は、床板等を固定するための釘や木ネジ等の金属性固定具が貫通していて漏水の可能性がある場合がありうる。
【考案の開示】
【考案が解決しようとする課題】
【０００４】
しかしながら、床板等の施工後は水道用の樹脂管はその床板等で覆われているため、釘や木ネジ等の金属性固定具が貫通していて漏水の可能性があるか否かは外見からは全く判断できない。
【０００５】
そしてもしも漏水することが、マンション等が完成して購入者へ引渡された後に判明すると、その漏水の生じた部屋の補修のみならず、漏水による下の部屋の損害も賠償する必要が生じ、数千万円の損害に繋がる可能性がある。
【課題を解決するための手段】
【０００６】
この考案は、上記課題を有利に解決することを目的とするものであり、この考案の漏水検出用樹脂管は、端部に金属製口金を具える樹脂管と、前記金属製口金に接触しないように前記樹脂管の周囲に巻き着けられた導電膜と、を具えてなるものである。
【０００７】
また、この考案の導電膜構体は、前記漏水検出用樹脂管用のものであって、導電膜と、その導電膜を覆う保護材とを具え、周方向の一または複数箇所に長手方向の全長に亘って延在する切れ目を持つ筒状をなすものである。
【考案の効果】
【０００８】
この考案の漏水検出用樹脂管にあっては、樹脂管の周囲に巻き着けられた金属箔等からなる導電膜が金属製口金に接触していないので、通常はその導電膜と金属製口金との間は電気的に導通しない。一方、その樹脂管に釘や木ネジ等の金属性固定具が貫通していて、かつその樹脂管の内部に水が入っていると、その樹脂管の内部の水と、樹脂管の表面で導電膜に接触するとともに樹脂管内部まで貫通してその内部の水に接触した金属性固定具とを介して、導電膜と金属製口金との間が電気的に導通するようになる。
【０００９】
従って、この考案の漏水検出用樹脂管によれば、床板等の施工後にその樹脂管内に水を満たして、その樹脂管の端部の金属製口金とその樹脂管の周囲の導電膜との間の電気的導通を導通テスター等で調べるだけで、もしもその樹脂管に釘や木ネジ等の金属性固定具が貫通していて漏水の可能性があれば導通するので、容易かつ確実に漏水の可能性の有無を確認し得て、樹脂管からの漏水による多大な損害の発生を未然に防止することができる。
【００１０】
なお、この考案の漏水検出用樹脂管においてはさらに、前記導電膜の上に巻き着けられた導電膜押え付け材や、前記導電膜と前記樹脂管との間に位置する導電膜浮き上がり防止材を具えていても良く、あるいは前記導電膜と前記樹脂管との間に空間を空けても良く、このようにすれば、木ネジ等のセルフタッピングネジが樹脂管に貫通した場合に、そのネジ山で押し退けられた樹脂がバーリング状に外側に突出して導電膜を押し退けようとしても、導電膜の上に巻き着けられたテープ等の導電膜押え付け材や、導電膜と樹脂管との間に位置する柔らかい導電膜浮き上がり防止材や空間が導電膜の浮き上がりを防止するので、木ネジ等のセルフタッピングネジと導電膜との接触を確実なものとすることができる。
【００１１】
また、この考案の導電膜構体は、導電膜とその導電膜を覆う保護材とを具え、周方向の一または複数箇所に長手方向の全長に亘って延在する切れ目を持つ筒状をなしていることから、その切れ目から開いて樹脂管の周囲に容易に巻きつけることができ、その巻き付けの際に切れ目等に接着剤を塗布したり、その巻き付け後に保護材の外側から粘着テープを巻きつけたりして樹脂管に固定すればよいので、施行現場にある樹脂管や既に配管されている樹脂管を用いて前記漏水検出用樹脂管を容易に構成することができる。
【考案を実施するための最良の形態】
【００１２】
以下、本考案の実施の形態を実施例によって、図面に基づき詳細に説明する。ここに、図１（ａ），（ｂ）は、この考案の漏水検出用樹脂管の一実施例を示す縦断面図および横断面図であり、図中符号１は、マンションの床下等に配置する水道配管用の通常の樹脂管（架橋ポリエチレン管）、２はその樹脂管１の一端部に装着された銅合金製の口金をそれぞれ示す。
【００１３】
この実施例の漏水検出用樹脂管は、図１（ａ），（ｂ）に示すように、上記樹脂管１の、少なくとも床下等に隠れる部分の周囲に、導電膜浮き上がり防止材としての、樹脂管１より充分に柔らかいクッション材３を１〜４ｍｍ程度の厚さで巻き着け、そのクッション材３の周囲に、導電膜としてのアルミテープ４を、口金２に接触しないように巻き着け、そのアルミテープ４の周囲にさらに、導電膜押え付け材としても機能するビニールテープ等の保護材５を２〜５ｍｍ程度の厚さで巻き着け、その保護材５から露出したアルミテープ４に、リード線６を繋いだ金属環７を嵌着固定してなる。
【００１４】
かかる実施例の漏水検出用樹脂管にあっては、樹脂管１の周囲に巻き着けられたアルミテープ４が口金２に接触していないので、通常はそのアルミテープ４と口金２との間は電気的に導通しない。一方、図１（ａ）に示すように、その樹脂管１に釘や木ネジ等の金属性固定具８が貫通していて、かつその樹脂管１の内部に水Ｗが入っていると、その樹脂管１の内部の水Ｗと、樹脂管１の表面でアルミテープ４に接触するとともに樹脂管１の内部まで貫通してその内部の水Ｗに接触し金属製固定具８とを介して、アルミテープ４と口金２との間が電気的に導通するようになる。
【００１５】
従って、この実施例の漏水検出用樹脂管によれば、床板等の施工後に樹脂管１内に水Ｗを満たして、その樹脂管１の端部の口金２と、樹脂管１の周囲のアルミテープ４に装着した金属環７との間の電気的導通をリード線６を介して導通テスター９等で調べるだけで、もしもその樹脂管１に釘や木ネジ等の金属性固定具８が貫通していて漏水の可能性があれば導通するので、容易かつ確実に漏水の可能性の有無を確認し得て、樹脂管１からの漏水による多大な損害の発生を未然に防止することができる。
【００１６】
しかもこの実施例の漏水検出用樹脂管によれば、アルミテープ４の上に巻き着けられた保護材５および、アルミテープ４と樹脂管１との間に位置するクッション材３を具えていることから、金属性固定具８として木ネジ等のセルフタッピングネジが樹脂管１に貫通した場合に、そのネジ山で押し退けられた樹脂がバーリング状に外側に突出してアルミテープ４を押し退けようとしても、クッション材３だけが押し退けられ、かつ保護材５がアルミテープ４の浮き上がりを防止するので、木ネジ等のセルフタッピングネジとアルミテープ４との接触を確実なものとして、その貫通の検出を確実なものにすることができる。
【００１７】
なお、上記クッション材３とアルミテープ４と保護材５とを、あらかじめ別途樹脂等からなるマンドレルの周囲に上記の順で巻きつけて筒状に形成してから、その周方向の一または複数箇所に長手方向に全長に亘って切れ目をいれて割り、そのマンドレルから剥がすことで、この考案の導電膜構体の一実施例としての導電膜構体を構成しても良く、この導電膜構体によれば、その切れ目から開いて樹脂管の周囲に容易に巻きつけることができ、その巻き付けの際に切れ目等に接着剤を塗布したり、その巻き付け後に保護材の外側から粘着テープを巻きつけたりして樹脂管に固定すればよいので、施行現場にある樹脂管や既に配管されている樹脂管を用いて前記実施例の漏水検出用樹脂管と同様の漏水検出用樹脂管を容易に構成することができる。
【００１８】
以上、図示例に基づき説明したが、この考案は上述の例に限定されるものでなく、実用新案登録請求の範囲の記載範囲内で適宜変更することができ、例えば、導電膜はアルミテープ以外のものでも良く、例えば金属性固定具が確実に接触する程度に目が細かい金属メッシュも含む。また、導電膜浮き上がり防止材を設ける代わりに、導電膜と樹脂管との間に空間を空けて、樹脂がバーリング状に外側に突出してもその空間内で留まって導電膜を押し退けないようにしても良い。さらに、床板等の施行に木ネジ等のセルフタッピングネジを使用しない場合には、導電膜押え付け材と、導電膜浮き上がり防止材との一方または両方を省略しても良い。
【産業上の利用可能性】
【００１９】
かくしてこの考案の漏水検出用樹脂管によれば、容易かつ確実に漏水の可能性の有無を確認し得て、樹脂管からの漏水による多大な損害の発生を未然に防止することができる。
【図面の簡単な説明】
【００２０】
【図１】（ａ），（ｂ）は、この考案の漏水検出用樹脂管の一実施例を示す縦断面図および横断面図である。
【符号の説明】
【００２１】
１  樹脂管
２  口金
３  クッション材
４  アルミテープ
５  保護材
６  リード線
７  金属環
８  金属性固定具
９  導通テスター
Ｗ  水
【図１】
0003114366.tif 000003